(57)【要約】      （修正有）【課題】上に載せたコーヒードリッパーが傾斜しないようにしたポットを提供する。【解決手段】台座部５の周縁部に下方へ折曲された係止端部８を有するコーヒードリッパー１を上に載せて、コーヒードリッパー１により抽出されたコーヒー液を収容する保温ポット３０であって、上端部が筒状に形成されて上方へ開口した容器３３を有し、容器３３の上端部に側方へ突出した注ぎ口部３４が設けられるとともに、容器３３の上端部の内、注ぎ口部３４から離れた箇所の外側に取っ手部３５の基部３６が設けられている。容器３３の上端部の外径が係止端部８の内径より小さく形成されており、注ぎ口部３４と取っ手部３５の基部３６は容器３３の上端から係止端部８の内側壁高さ以上の距離だけ下げて設けられている。【選択図】図１３
0003223036.tif 000002
【実用新案登録請求の範囲】
【請求項１】
円盤状の台座部の周縁部に下方へ折曲された係止端部が周方向に沿って設けられたコーヒードリッパーを上に載せて、コーヒードリッパーにより抽出されたコーヒー液を収容するポットであって、
上端部が筒状に形成されて上方へ開口した容器を有し、容器の上端部に側方へ突出した注ぎ口部が設けられるとともに、容器の上端部の内、注ぎ口部から離れた箇所の外側に取っ手部の基部が設けられており、
容器の上端部の外径が係止端部の内径より小さく形成されており、
更に、注ぎ口部と取っ手部の基部は容器の上端から係止端部の内側壁の高さ以上の距離だけ下げて設けられていること、
を特徴とするポット。
【考案の詳細な説明】
【技術分野】
【０００１】
本考案はポットに係り、とくにコーヒードリッパーと組み合わせて使用する場合に好適なポットに関する。
【背景技術】
【０００２】
コーヒードリッパーは、飲食店、家庭、オフィスなどでコーヒー粉に湯を注いでコーヒーを淹れるために用いられる道具であり、従来例の一つを図１、図２に示す。図１、図２において、コーヒードリッパー１は、コーヒー粉を入れて湯を注ぎコーヒー液を抽出するための漏斗部２を有し、この漏斗部２の上端に上部開口３、下端に抽出穴４が形成されている。漏斗部２の下端部には円盤状の台座部５が固着されており、この台座部５の下面５Ａに抽出穴４を囲むようにして筒部６が下方へ突設されている。漏斗部２の外側面には取っ手部７が固着されている。
【０００３】
上記の如く構成されたコーヒードリッパー１は、図３に示す如く上方に開口したコップ等の容器１０の上端に台座部５を載せ、筒部６を容器１０の中に挿し入れて使用されるが、台座部５の下側が全て平らだと横に滑ったときに容器１０から落ちて漏斗部２の内容物が外部にこぼれしまう。このため、台座部５の周縁部には周方向に沿って下方へＬ字状に折曲された係止端部８が形成されており、容器１０の上でコーヒードリッパー１が横に滑っても、係止端部８の内側壁８Ａが容器１０の上端部外側に当たって係止し、コーヒードリッパー１が容器１０から落ちるのが防止されるようになっている。
【０００４】
けれども、上記した従来のコーヒードリッパーを図４に示す如く上端に注ぎ口部２０や取っ手部２１の基部２２が付いたポット２３と組み合わせて使用しようとした場合、ポット２３の上にコーヒードリッパー１を載せようとすると、係止端部８の下端８Ｂが注ぎ口部２０や取っ手部２１の基部２２の上に載り（図５参照）、図６に示す如くコーヒードリッパー１が左右に傾いて姿勢が不安定になってしまう問題があった。
【考案の概要】
【考案が解決しようとする課題】
【０００５】
本考案は上記した従来技術の問題に鑑み、上に載せたコーヒードリッパーが傾斜しないようにしたポットを提供することを、その目的とする。
【課題を解決するための手段】
【０００６】
請求項１記載の考案では、
円盤状の台座部の周縁部に下方へ折曲された係止端部が周方向に沿って設けられたコーヒードリッパーを上に載せて、コーヒードリッパーにより抽出されたコーヒー液を収容するポットであって、
上端部が筒状に形成されて上方へ開口した容器を有し、容器の上端部に側方へ突出した注ぎ口部が設けられるとともに、容器の上端部の内、注ぎ口部から離れた箇所の外側に取っ手部の基部が設けられており、
容器の上端部の外径が係止端部の内径より小さく形成されており、
更に、注ぎ口部と取っ手部の基部は容器の上端から係止端部の内側壁の高さ以上の距離だけ下げて設けられていること、
を特徴としている。
【考案の効果】
【０００７】
本考案によれば、コーヒードリッパーを容器の上に載せたとき、容器上端の開口端縁の大部分が台座部の下面に当接するので、コーヒードリッパーが傾斜する恐れがなくなる。
【図面の簡単な説明】
【０００８】
【図１】従来りコーヒードリッパーの一例を示す外観図である。
【図２】図１の断面図である。
【図３】コーヒードリッパーの使用方法の説明図である。
【図４】従来の問題点の説明図である。
【図５】従来の問題点の説明図である。
【図６】従来の問題点の説明図である。
【図７】本考案の一実施例に係る保温ポットの正面図である（実施例１）。
【図８】図７の保温ポットの側面図である。
【図９】図７の保温ポットの平面図である。
【図１０】図７の保温ポットの断面図である。
【図１１】図７の保温ポットの使用方法の説明図である。
【図１２】図７の保温ポットの使用方法の説明図である。
【図１３】図７の保温ポットの使用方法の説明図である。
【考案を実施するための最良の形態】
【０００９】
以下、本考案の最良の形態を実施例に基づき説明する。
【実施例１】
【００１０】
図７乃至図１０を参照して本考案の一実施例を説明する。図７は本考案に係る保温ポットの正面図、図８乃至図１０は各々、図７の保温ポットの側面図、平面図、断面図である。なお、従来と同一の構成部分には同一の符号が付してある。
図７乃至図１０において、３０は本考案に係る保温ポットであり、図１のコーヒードリッパー１と組み合わせて使用可能に形成されている。保温ポット３０はステンレス製の真空二重壁構造の容器本体３１と、容器本体３１の上端口部に嵌着された筒状の肩部材３２とにより構成された容器３３を備えている。容器３３は上端部が筒状で上方へ開口している。肩部材３２の上端部の前側中央には上向きに開口するとともに側方へ突出したカップ状の注ぎ口部３４が設けられており、肩部材３２の上端部の内、注ぎ口部３４と１８０度離れた反対側には円弧状に湾曲した取っ手部３５の基部３６が固着されている。
【００１１】
注ぎ口部３４は、容器３３の上端（肩部材３２の上端）から距離ｈだけ下方に下げた位置から側方へ突出している。同様に、取っ手部３５の基部３６は容器３３の上端（肩部材３２の上端）から距離ｈ’だけ下方に下げた位置に設けられている。保温ポット３０と組み合わせて使用されるコーヒードリッパー１の台座部５の係止端部８の内側壁８Ａの高さをＨとすると、ｈ≧Ｈ、ｈ’≧Ｈに形成されている（この実施例では一例としてｈ＝ｈ’＝Ｈに形成してある）。また、係止端部８の内径をＤとすると、容器３３の上端部（肩部材３２の上端部）の外径ｄは、ｄ≧Ｄに形成されている。
容器３３の上端は注ぎ口部３４を除いてリング状の開口端縁３７を成している。
【００１２】
次に、図１１乃至図１３を参照して上記した実施例の作用を説明する。
コーヒードリッパー１を保温ポット３０の容器３３の上に載せると、係止端部８の内径の中に容器３３の上端部が入る（図１１、図１２参照）。注ぎ口部３４と取っ手部３５の基部３６がともに、容器３３の上端よりＨ以上の長さだけ下がっているので、係止端部８の下面８Ｂは、注ぎ口部３４の上端と取っ手部３５の基部３６の上端に丁度接する位置に来るか、或いは、接することなく間に少し隙間が開く。
このため、容器３３の上端の開口端縁３７の大部分が台座部５の下面５Ａに当接して、コーヒードリッパー１は傾斜することなく水平に安定に支持される（図１３参照）。従って、コーヒードリッパー１の内容物が外部に零れる恐れがなくなる。
【００１３】
この実施例によれば、容器３３の上端部の外径が係止端部８の内径より小さく形成されており、注ぎ口部３４と、取っ手部３５の基部３６は容器３３の上端から係止端部８の内側壁８Ａの高さＨ以上の距離だけ下げて設けられているので、コーヒードリッパー１を容器３３の上に載せたとき、容器３３の上端の開口端縁３７の大部分が台座部５の下面５Ａに当接するので、コーヒードリッパー１が傾斜することなく水平に安定して支持されることになり、コーヒードリッパー１の内容物が外部に零れる恐れがなくなる。
【産業上の利用可能性】
【００１４】
この考案は、コーヒーサーバー、卓上ポットなどに適用可能である。
【符号の説明】
【００１５】
１    コーヒードリッパー
５    台座部
８    係止端部
３０  保温ポット
３３  容器
３４  注ぎ口部
３５  取っ手部
３６  基部
３７  開口端縁
【図１】
0003223036.tif 000003
【図２】
0003223036.tif 000004
【図３】
0003223036.tif 000005
【図４】
0003223036.tif 000006
【図５】
0003223036.tif 000007
【図６】
0003223036.tif 000008
【図７】
0003223036.tif 000009
【図８】
0003223036.tif 000010
【図９】
0003223036.tif 000011
【図１０】
0003223036.tif 000012
【図１１】
0003223036.tif 000013
【図１２】
0003223036.tif 000014
【図１３】
0003223036.tif 000015
【手続補正書】
【提出日】令和1年6月30日(2019.6.30)
【手続補正１】
【補正対象書類名】明細書
【補正対象項目名】０００８
【補正方法】変更
【補正の内容】
【０００８】
【図１】従来のコーヒードリッパーの一例を示す外観図である。
【図２】図１の断面図である。
【図３】コーヒードリッパーの使用方法の説明図である。
【図４】従来の問題点の説明図である。
【図５】従来の問題点の説明図である。
【図６】従来の問題点の説明図である。
【図７】本考案の一実施例に係る保温ポットの正面図である（実施例１）。
【図８】図７の保温ポットの側面図である。
【図９】図７の保温ポットの平面図である。
【図１０】図７の保温ポットの断面図である。
【図１１】図７の保温ポットの使用方法の説明図である。
【図１２】図７の保温ポットの使用方法の説明図である。
【図１３】図７の保温ポットの使用方法の説明図である。